(57)【要約】【課題】ウレタン樹脂を発泡させて中空状のヘッドレストケースの表面をカバーリングする場合でも、発泡させたウレタンのクッション性能を十分に得つつ、ヘッドレストケースの剛性とその内部スペースも確保できるヘッドレストケースの構造を提供することである。【解決手段】発泡させたウレタンによって一体的にカバーリングされる中空状のヘッドレストケースの構造であって、その背面側の表面には、高さ方向、または、幅方向に沿って膨らみ状に単数または複数のビード部が形成されており、そのビード部の内面には、ビードの形成方向に沿ってリブが形成されていることを特徴とする。【選択図】図３
2010187978.tif 000002
【特許請求の範囲】
【請求項１】
発泡させたウレタンによって一体的にカバーリングされる中空状のヘッドレストケースの構造であって、
その背面側の表面には、高さ方向、または、幅方向に沿って膨らみ状に単数または複数のビード部が形成されており、
そのビード部の内面には、ビードの形成方向に沿ってリブが形成されていることを特徴とするヘッドレストケースの構造。
【発明の詳細な説明】
【技術分野】
【０００１】
本発明は、中空状のヘッドレストケースの構造に関し、詳しくは、発泡させたウレタンによって一体的にカバーリングされる中空状のヘッドレストケースの構造に関する。
【背景技術】
【０００２】
従来、ヘッドレストの輪郭を形成している中空状のヘッドレストケースの表面にウレタンを被せ、その被せたウレタンの表面にさらに表皮を被せたヘッドレストが既に知られている。ここで、特許文献１には、ウレタン樹脂をヘッドレストケースの表面で発泡させたヘッドレスト（発泡成形で製造させたヘッドレスト）が開示されている。このように発泡成形させると、ヘッドレストケース、ウレタンおよび表皮は、互いに一体的に接合されるため、出来上がったヘッドレストの使用時に、ヘッドレストケースに対してウレタンや表皮にズレが生じることがなく、乗員の後頭部を確実に受け止めることができる。
【先行技術文献】
【特許文献】
【０００３】
【特許文献１】特開２００５−１７８１９６号公報
【発明の概要】
【発明が解決しようとする課題】
【０００４】
しかしながら、上述した特許文献１では、図４に示すように、例えば、ヘッドレストケース１２０の剛性を確保するために、ヘッドレストケース１２０にリブ１３２ａを形成した場合、そのリブ１３２ａの根元側にまでウレタン樹脂が流れ込み難く、出来上がったヘッドレストにおいて、良いクッション性能が得られないという問題が発生していた。また、このようにリブ１３２ａを形成した場合、ヘッドレストケース１２０の内部に、例えば、メカ機構（公知のヘッドレスト移動機構であり、車両に後突が発生すると、ステーに対して、乗員の後頭部を受け止める部位を前方へ飛び出させる機構）を設けるスペースを確保することができないという問題が発生していた。これらの問題を解決するために、リブ１３２ａの高さを低くすることが考えられたが、このリブ１３２ａの高さを低くすると、ヘッドレストケース１２０の剛性を確保することができないという根本的な問題に戻ることとなっていた。
【０００５】
本発明は、このような課題を解決しようとするもので、その目的は、ウレタン樹脂を発泡させて中空状のヘッドレストケースの表面をカバーリングする場合でも、発泡させたウレタンのクッション性能を十分に得つつ、ヘッドレストケースの剛性とその内部スペースも確保できるヘッドレストケースの構造を提供することである。
【課題を解決するための手段】
【０００６】
本発明は、上記の目的を達成するためのものであって、以下のように構成されている。
請求項１に記載の発明は、発泡させたウレタンによって一体的にカバーリングされる中空状のヘッドレストケースの構造であって、その背面側の表面には、高さ方向、または、幅方向に沿って膨らみ状に単数または複数のビード部が形成されており、そのビード部の内面には、ビードの形成方向に沿ってリブが形成されていることを特徴とする。
この構成によれば、ビード部は膨らみ状に形成されているため、ビード部の根元までウレタン樹脂を流れ込ませることができる。そのため、出来上がったヘッドレストのクッション性能を十分に得ることができる。また、この構成によれば、リブが形成されているため、ヘッドレストケース（背面ケース）の剛性も確保することができる。また、この構成によれば、リブはビード部の内面に形成されているため、ヘッドレストケース（背面ケース）の内部スペースも確保することができる。
【図面の簡単な説明】
【０００７】
【図１】図１は、本発明の実施例に係るヘッドレストケースの分解斜視図である。
【図２】図２は、図１の組み付け状態における斜視図である。
【図３】図３は、図２のヘッドレストケースの表面にウレタン樹脂を発泡させたヘッドレストの横断面図である。
【図４】図４は、従来技術に係るヘッドレストの縦断面図である。
【発明を実施するための形態】
【０００８】
以下、本発明を実施するための形態を、図１〜３を用いて説明する。なお、以下の説明にあたって、上、下、前、後、左、右とは、上述した各図に記載した、上、下、前、後、左、右の方向、すなわち、ヘッドレストを基準にしたときの上、下、前、後、左、右の方向を示している。
【０００９】
まず、図１、２を参照して、本発明の実施例に係るヘッドレストの全体構成を説明する。この説明をするにあたって、はじめに、ヘッドレストのフレーム構造を説明する。ヘッドレストのフレーム１は、シートバック（図示しない）側に差し込まれる左右一対のステー１２、１２を固着させるベース部材１０と、このベース部材１０の正面側をカバーリングする格好でシートバックに背凭れした乗員の後頭部を受け止める正面ケース２０と、この正面ケース２０との間にベース部材１０を収納する格好で正面ケース２０の背面側をカバーリングする背面ケース３０とから主として構成されている。以下に、これらの構成部材１０、２０、３０を順に説明していく。
【００１０】
はじめに、ベース部材１０から説明していく。ベース部材１０は、矩形状に形成されているプレート状の部材である。このベース部材１０の左右の両縁には、上述したようにシートバック側に差し込まれる略逆Ｕ字状のステー１２を固着させるホルダ１０ａがそれぞれ形成されている。また、ベース部材１０の四隅の近傍には、後述する正面ケース２０の４本の係合爪２２を差し込み可能な取付孔１０ｂがそれぞれ形成されている。このベース部材１０は、例えば、金属、または剛性を有する合成樹脂によって、一体的に形成されている。
【００１１】
次に、正面ケース２０を説明する。正面ケース２０は、上述したようにベース部材１０の正面側をカバーリングする格好でシートバックに背凭れした乗員の後頭部を受け止め可能な略平らな支承面を有するケース部材である。この正面ケース２０の内面の四隅の近傍には、上述したベース部材１０の各取付孔１０ｂに対応する係合爪２２がそれぞれ形成されている。また、正面ケース２０の左右と上の縁には、後述する背面ケース３０を組み付ける係合孔２４ａを有する撓み片２４がそれぞれ形成されている。この正面ケース２０も、例えば、剛性を有する合成樹脂によって、一体的に形成されている。
【００１２】
最後に、背面ケース３０を説明する。背面ケース３０も、上述したように正面ケース２０との間にベース部材１０を収納する格好で正面ケース２０の背面側をカバーリングするケース部材である。この背面ケース３０の内面の四隅の近傍には、上述したベース部材１０の取付孔１０ｂと正面ケース２０の係合爪２２とに対応する取付孔３６ａを有する台座３６ｂがそれぞれ形成されている。この背面ケース３０の表面には、高さ方向に沿って膨らみ状を成す２本のビード部３２が並設されている。このビード部３２の内面には、ビードの形成方向（図１において、高さ方向である上下方向）に沿ってリブ３２ａが形成されている。
【００１３】
すなわち、背面ケース３０の表面から滑らかに膨出する格好でビード部３２が形成され、この膨出に伴って凹み形状となる背面ケース３０の内面（裏面）にリブ３２ａが形成されている。このようにリブ３２ａが形成されていると、リブ３２ａが背面ケース３０の内部スペースに干渉することがない（リブ３２ａが背面ケース３０の内部スペースに出っ張ることがない。）。そのため、背面ケース３０の内面にリブ３２ａを形成しても、背面ケース３０の内部スペースを確保できる。
【００１４】
また、このように内部スペースを確保できると、例えば、背面ケース３０の内部に公知のヘッドレスト移動機構（車両に後突が発生すると、１２ステーに対して、乗員の後頭部を受け止める部位を前方へ飛び出させる機構）を設けることもできる。なお、このリブ３２ａは、その先端が、例えば、ビード部３２の根元と略同一直線上（図３において、想像線上）に位置するように形成されている。また、このリブ３２ａの上下の端部は、その先端がビード部３２の内面に向けて滑らかに下り傾斜する格好となるようにそれぞれ形成されている。
【００１５】
また、背面ケース３０の左右と上の縁には、上述した正面ケース２０の係合孔２４ａに対応する係合爪３４がそれぞれ形成されている。この背面ケース３０も、例えば、剛性を有する合成樹脂によって、一体的に形成されている。ヘッドレストのフレーム１は、このように構成されている。
【００１６】
続いて、上述したヘッドレストのフレーム１であるベース部材１０、正面ケース２０および背面ケース３０の組み付け工程を説明する。はじめに、ベース部材１０の前面側から各取付孔１０ｂに係合爪２２をそれぞれ差し込み、その差し込み状態で係合爪２２を背面ケース３０の取付孔３６ａにそれぞれ差し込んで爪を引っ掛けて係合させる。これを全箇所行うことで、ベース部材１０と正面ケース２０と背面ケース３０とを一体化させることができる。
【００１７】
これと同時に、正面ケース２０の背面側から各係合孔２４ａに背面ケース３０の各係合爪３４を嵌め込ませていく。すると、正面ケース２０の撓み片２４の先端が背面ケース３０の係合爪３４を乗り越えるように撓んでいき、その乗り越えが完了すると正面ケース２０の係合孔２４ａに背面ケース３０の係合爪３４が嵌め込まれる。これを全箇所行うことで、正面ケース２０に背面ケース３０を組み付けることができる。ヘッドレストのフレーム１であるベース部材１０、正面ケース２０および背面ケース３０は、このように組み付けられている。なお、このようにして組み付けられたフレーム１が、特許請求の範囲に記載の「中空状のヘッドレストケース」に相当する。
【００１８】
続いて、上述した構成から成るヘッドレストのフレーム１の表面でウレタン樹脂を発泡させてヘッドレストを製造する方法、すなわち、発泡成形でヘッドレストを製造する方法を説明する。まず、袋状に形成されている表皮（図１、２において図示しない）５０の内部にフレーム１を配置させ、この配置させた状態でさらにキャビティがヘッドレストの外形状に形成されている金型（図示しない）内に配置させる。この配置させた状態のままで、フレーム１と表皮５０との間に形成される隙間にウレタン樹脂を注入していく。
【００１９】
すると、注入したウレタン樹脂は発泡していくため、発泡したウレタン樹脂はキャビティの内面形状に沿いながら表皮５０内を充填していく。このとき、既に説明したように、背面ケース３０のビード部３２は滑らかに膨出するように形成されているため、ビード部３２の根元側にまでウレタン樹脂を充填させることができる（図３において、矢印がウレタン樹脂の流れを示している）。そして、ウレタン樹脂の発泡が完了すると、ヘッドレストのフレーム１を包み込むと共に、表皮５０に包み込まれた発泡体であるウレタン４０が出来上がる。すなわち、ヘッドレストが出来上がる。
【００２０】
出来上がったヘッドレストは、従来技術と同様に、そのフレーム１、ウレタン４０および表皮５０は、互いに一体的に接合されるため、その使用時に、フレーム１に対してウレタン４０や表皮５０にズレが生じることがなく、乗員の後頭部を確実に受け止めることができる。ヘッドレストは、このような発泡成形によって製造されている。
【００２１】
本発明の実施例に係る中空状のヘッドレストケースの構造は、上述したように構成されている。この構成によれば、ビード部３２は膨らみ状に形成されているため、ビード部３２の根元までウレタン樹脂を流れ込ませることができる。そのため、出来上がったヘッドレストのクッション性能を十分に得ることができる。また、この構成によれば、リブ３２ａが形成されているため、背面ケース３０の剛性も確保することができる。また、この構成によれば、リブ３２ａはビード部３２の内面に形成されているため、背面ケース３０の内部スペースも確保することができる。
【００２２】
上述した内容は、あくまでも本発明の一実施の形態に関するものであって、本発明が上記内容に限定されることを意味するものではない。
実施例では、ビード部３２は、背面ケース３０の表面の高さ方向に沿って形成される例を説明した。しかし、これに限定されるものでなく、ビード部３２は、背面ケース３０の表面の幅方向（図１において、左右方向）に沿って形成されても構わない。
【００２３】
また、実施例では、ビード部３２は、２本並設されている例を説明した。しかし、これに限定されるものでなく、ビード部３２は、１本でも、３本でも構わない。
【００２４】
また、実施例では、ステー１２は、略逆Ｕ字状に形成されている例を説明した。しかし、これに限定されるものでなく、ステー１２は、左右一対の分割状に形成されていても構わない。
【符号の説明】
【００２５】
２０    正面ケース
３０    背面ケース
３２    ビード部
３２ａ  リブ
４０    ウレタン
【図１】
2010187978.tif 000003
【図２】
2010187978.tif 000004
【図３】
2010187978.tif 000005
【図４】
2010187978.tif 000006